(57)【要約】【課題】ランプの取付作業性を向上させる。【解決手段】シャーシ１３には、管状をなす冷陰極管１５が複数本並列した状態で収容される。シャーシ１３には、冷陰極管１５の周面を取り囲む有端環状をなすランプ把持部２７を有するランプクリップ２０が取り付けられている。ランプ把持部２７における開口端部２７ａには、その開口方向に沿って延出するランプガイド部３１が設けられている。このランプガイド部３１により、冷陰極管１５の取付経路が規定される。【選択図】図５
2008293710.tif 000002
【特許請求の範囲】
【請求項１】
管状をなすランプと、このランプが複数本並列した状態で収容されるシャーシと、前記ランプの周面を取り囲む有端環状をなし前記ランプを把持可能なランプ把持部と、前記ランプ把持部に対して前記ランプを取り付ける際の取付経路を規定するランプガイド部とが備えられている表示装置用照明装置。
【請求項２】
前記シャーシには、前記ランプ把持部を有するランプ保持部品が取り付けられるようになっており、このランプ保持部品に前記ランプガイド部が一体形成されている請求項１記載の表示装置用照明装置。
【請求項３】
前記ランプガイド部は、前記ランプ把持部の開口端部に形成され、その開口方向に沿って延出する形態とされている請求項２記載の表示装置用照明装置。
【請求項４】
前記ランプ把持部は、前記ランプの取付作業時における鉛直方向と交差する方向に開口している請求項２または請求項３記載の表示装置用照明装置。
【請求項５】
前記ランプ把持部は、前記ランプの取付作業時における鉛直方向と直交する方向に開口している請求項４記載の表示装置用照明装置。
【請求項６】
前記ランプガイド部が、前記ランプ把持部の開口端部からその開口方向に沿って延出する形態とされているものにおいて、
前記ランプ保持部品には、前記ランプガイド部に載った状態の前記ランプに対して取付方向手前側から係合する脱落規制部が設けられている請求項４または請求項５記載の表示装置用照明装置。
【請求項７】
前記ランプ保持部品は、前記シャーシに取り付けられる取付板と、この取付板から立ち上がる立ち上げ部とを備え、この立ち上げ部に前記ランプ把持部が連結されている請求項２ないし請求項６のいずれか１項に記載の表示装置用照明装置。
【請求項８】
前記立ち上げ部には、前記ランプ把持部が一対連結されている請求項７記載の表示装置用照明装置。
【請求項９】
前記両ランプ把持部は、前記ランプの取付作業時における鉛直方向と交差する方向であって前記立ち上げ部側とは反対側に開口しており、前記ランプガイド部は、前記両ランプ把持部の開口端部から前記立ち上げ部側とは反対側へ突出する片持ち状にそれぞれ形成されている請求項８記載の表示装置用照明装置。
【請求項１０】
前記ランプに対して前記取付板側とは反対側に離間した位置には、透光性を有する光学部材が配されるものにおいて、
前記立ち上げ部は、前記ランプ把持部よりも前記鉛直方向上向きに突出して前記光学部材を支持可能とされている請求項９記載の表示装置用照明装置。
【請求項１１】
前記両ランプ把持部は、前記ランプの取付作業時における鉛直方向と交差する方向であって前記立ち上げ部側に開口しており、前記ランプガイド部は、前記両ランプ把持部の開口端部と前記立ち上げ部とを連結してそれぞれ形成されている請求項８記載の表示装置用照明装置。
【請求項１２】
前記立ち上げ部には、前記両ランプ把持部間に位置し、互いの前記取付経路を仕切る仕切り部が設けられている請求項１１記載の表示装置用照明装置。
【請求項１３】
前記ランプに対して前記取付板側とは反対側に離間した位置には、透光性を有する光学部材が配されるものにおいて、
前記仕切り部は、前記ランプ把持部よりも前記鉛直方向上向きに突出して前記光学部材を支持可能とされている請求項１２記載の表示装置用照明装置。
【請求項１４】
前記ランプ把持部は、当該表示装置用照明装置を使用する際の設置状態における鉛直方向上向きに開口している請求項４ないし請求項６のいずれか１項に記載の表示装置用照明装置。
【請求項１５】
前記ランプ保持部品が前記シャーシに取り付けられる取付板を備えるものにおいて、
前記ランプ把持部の開口端部が前記取付板に連結されるとともに、この取付板が前記ランプガイド部をなしている請求項２ないし請求項６のいずれか１項に記載の表示装置用照明装置。
【請求項１６】
前記ランプ把持部は、前記シャーシに一体形成されるとともに前記ランプの取付作業時における鉛直方向と交差する方向に開口し、そのシャーシの壁面が前記ランプガイド部をなしている請求項１記載の表示装置用照明装置。
【請求項１７】
請求項１ないし請求項１６のいずれか１項に記載の表示装置用照明装置と、この表示装置用照明装置の表側に配される表示パネルとからなる表示装置。
【請求項１８】
前記表示パネルは、一対の基板間に液晶を封入してなる液晶パネルとされる請求項１７記載の表示装置。
【請求項１９】
請求項１７または請求項１８に記載された表示装置を備えるテレビ受信装置。
【発明の詳細な説明】
【技術分野】
【０００１】
本発明は、表示装置用照明装置、表示装置、及びテレビ受信装置に関する。
【背景技術】
【０００２】
液晶表示装置は、画像を表示する液晶パネルと、液晶パネルに対して光を照射するバックライトとから構成される。このバックライトには、液晶パネルの背面に設置されるシャーシ内に複数本の冷陰極管を並列配置した構成の、直下型バックライトと呼ばれるものがあり、その一例として下記特許文献１に記載されたものが知られている。
【０００３】
このものでは、冷陰極管を所定位置に保持するためのランプクリップが備えられており、そのランプクリップは、液晶パネル側に開口するランプ把持部を有している。冷陰極管を取り付ける際には、ランプ把持部の開口部に冷陰極管を通しつつランプ把持部を一旦弾性的に拡開変形させる。そして、冷陰極管を正規深さまで押し込むと、ランプ把持部が弾性復帰し、もって冷陰極管がランプ把持部によって取付状態に把持される。
【特許文献１】特開２００１−２１０１２６公報
【発明の開示】
【発明が解決しようとする課題】
【０００４】
ところが、液晶表示装置に使用される冷陰極管は、管径が数ｍｍ程度と非常に細くなっているため、冷陰極管を取り付ける際にランプ把持部の開口部に冷陰極管を通す作業がし辛く、作業性が芳しくなかった。
【０００５】
本発明は上記のような事情に基づいて完成されたものであって、ランプの取付作業性を向上させることを目的とする。
【課題を解決するための手段】
【０００６】
本発明は、管状をなすランプと、このランプが複数本並列した状態で収容されるシャーシと、前記ランプの周面を取り囲む有端環状をなし前記ランプを把持可能なランプ把持部と、前記ランプ把持部に対して前記ランプを取り付ける際の取付経路を規定するランプガイド部とが備えられている。
【０００７】
このようにすれば、ランプ把持部に対してランプを取り付ける際には、その取付経路を規定するランプガイド部に沿ってランプを移動させることで、取付作業をスムーズに行うことができる。
【０００８】
本発明の実施態様として、次の構成が好ましい。
（１）前記シャーシには、前記ランプ把持部を有するランプ保持部品が取り付けられるようになっており、このランプ保持部品に前記ランプガイド部が一体形成される構成とする。仮にランプ保持部品とは別の部品にランプガイド部を設置した場合には、その部品とランプ保持部品との間に組み付け誤差が生じ得るが、ランプ保持部品にランプガイド部を一体形成すればそのような組み付け誤差の発生を回避でき、円滑な取付作業を期することができる。
【０００９】
（２）前記ランプガイド部は、前記ランプ把持部の開口端部に形成され、その開口方向に沿って延出する形態とされる構成とする。このようにすれば、ランプをランプガイド部に沿って真っ直ぐに押し込むことで、ランプをランプ把持部に取り付けることができ、取付作業をよりスムーズなものとすることができる。
【００１０】
（３）前記ランプ把持部は、前記ランプの取付作業時における鉛直方向と交差する方向に開口している構成とする。このようにすれば、ランプをランプ把持部に取り付ける際に、その取付深さが不足した場合、その不足した分だけランプが正規の取付位置から取付作業時における鉛直方向と交差する方向に突出することになるから、目視によりランプの取付深さが不足したのを容易に検出することができる。これにより、取付作業性を向上させることができる。
【００１１】
（４）前記ランプ把持部は、前記ランプの取付作業時における鉛直方向と直交する方向に開口している構成とする。このようにすれば、ランプの取付深さが不足したのを一層容易に検出することができる。
【００１２】
（５）前記ランプガイド部が、前記ランプ把持部の開口端部からその開口方向に沿って延出する形態とされているものにおいて、前記ランプ保持部品には、前記ランプガイド部に載った状態の前記ランプに対して取付方向手前側から係合する脱落規制部が設けられる構成とする。このようにすれば、万が一、ランプ把持部に対して正規に取り付けられたランプが振動などの影響によって外れ、ランプガイド部に載った状態となっても、そのランプに対して取付方向手前側から脱落規制部が係合することで、そのランプの脱落を防ぐことができる。
【００１３】
（６）前記ランプ保持部品は、前記シャーシに取り付けられる取付板と、この取付板から立ち上がる立ち上げ部とを備え、この立ち上げ部に前記ランプ把持部が連結される構成とする。このようにすれば、ランプをシャーシから浮いた位置にて保持することができるから、ランプ点灯時にシャーシに流れる漏れ電流を軽減することができる。
【００１４】
（７）前記立ち上げ部には、前記ランプ把持部が一対連結される構成とする。このように、立ち上げ部を共用化することで、ランプ保持部品の構造を簡素化することができる。
【００１５】
（８）前記両ランプ把持部は、前記ランプの取付作業時における鉛直方向と交差する方向であって前記立ち上げ部側とは反対側に開口しており、前記ランプガイド部は、前記両ランプ把持部の開口端部から前記立ち上げ部側とは反対側へ突出する片持ち状にそれぞれ形成される構成とする。このようにすれば、取り付けに際してランプをランプガイド部に宛ったとき、ランプガイド部が片持ち状で撓み易くなっているから、鉛直方向についてランプを押し込む力を吸収することができ、取付作業性の向上に寄与することができる。
【００１６】
（９）前記ランプに対して前記取付板側とは反対側に離間した位置には、透光性を有する光学部材が配されるものにおいて、前記立ち上げ部は、前記ランプ把持部よりも前記鉛直方向上向きに突出して前記光学部材を支持可能とされる構成とする。このようにすれば、立ち上げ部に光学部材を支持する機能を併せ持たせることができ、ランプ保持部品の構造の簡素化を図ることができる。
【００１７】
（１０）前記両ランプ把持部は、前記ランプの取付作業時における鉛直方向と交差する方向であって前記立ち上げ部側に開口しており、前記ランプガイド部は、前記両ランプ把持部の開口端部と前記立ち上げ部とを連結してそれぞれ形成される構成とする。このようにすれば、両ランプ把持部を立ち上げ部に連結する部位をランプガイド部によって兼用しているから、ランプガイド部とは別途に連結部位を設けた場合と比較してランプ保持部品の小型化を図ることができる。
【００１８】
（１１）前記立ち上げ部には、前記両ランプ把持部間に位置し、互いの前記取付経路を仕切る仕切り部が設けられる構成とする。このようにすれば、仕切り部により両ランプの取付経路を仕切ることができるから、一方のランプを取り付ける際に、そのランプが既に取り付けられた他方のランプと干渉するのを回避することができる。
【００１９】
（１２）前記ランプに対して前記取付板側とは反対側に離間した位置には、透光性を有する光学部材が配されるものにおいて、前記仕切り部は、前記ランプ把持部よりも前記鉛直方向上向きに突出して前記光学部材を支持可能とされる構成とする。このようにすれば、仕切り部に光学部材を支持する機能を併せ持たせることができ、ランプ保持部品の構造の簡素化を図ることができる。
【００２０】
（１３）前記ランプ把持部は、当該表示装置用照明装置を使用する際の設置状態における鉛直方向上向きに開口している構成とする。このようにすれば、表示装置用照明装置を使用する際の設置状態においてランプをランプ把持部によりしっかりと取付状態に保持することができる。なお、ここでいう「表示装置用照明装置を使用する際の設置状態」とは、ランプが点灯可能になるよう表示装置用照明装置が組み付けられた状態のことをいう。
【００２１】
（１４）前記ランプ保持部品が前記シャーシに取り付けられる取付板を備えるものにおいて、前記ランプ把持部の開口端部が前記取付板に連結されるとともに、この取付板が前記ランプガイド部をなしている構成とする。このようにすれば、取付板がランプガイド部を兼用しているから、取付板とは別途にランプガイド部を設置した場合と比較すると、ランプ保持部品の構造の簡素化を図ることができる。
【００２２】
（１５）前記ランプ把持部は、前記シャーシに一体形成されるとともに前記ランプの取付作業時における鉛直方向と交差する方向に開口し、そのシャーシの壁面が前記ランプガイド部をなしている構成とする。このようにすれば、構造の簡素化を図ることができる。
【００２３】
次に、上記課題を解決するために、本発明の表示装置は、上記記載の表示装置用照明装置と、前記表示装置用照明装置からの光を利用して表示を行う表示パネルと、を備えることを特徴とする。このような表示装置によると、表示装置用照明装置の組み付け作業性に優れるので、製造コストの低減を図ることが可能となる。
【００２４】
前記表示パネルとしては液晶パネルを例示することができる。このような表示装置は液晶表示装置として、種々の用途、例えばテレビやパソコンのデスクトップ画面等に適用でき、特に大型画面用として好適である。
【発明の効果】
【００２５】
本発明によれば、ランプの取付作業性を向上させることができる。
【発明を実施するための最良の形態】
【００２６】
＜実施形態１＞
本発明の実施形態１を図１ないし図６によって説明する。この実施形態１では、表示装置として液晶表示装置Ｄについて例示する。なお、以下では、冷陰極管１５の取付作業時における鉛直方向及び水平方向については図３〜図５を基準とする。
【００２７】
液晶表示装置Ｄは、全体として横長の方形（矩形）をなし、図３に示すように、画像を表示可能な表示パネルである液晶パネル１１の裏側（図３〜図５に示す下側、背面側）に、液晶パネル１１に向けて光を照射可能な外部光源（照明装置）であるバックライト１０を配置してなり、両者１０，１１が液晶パネルの表側から被せたベゼル１２によって組み付け状態に保持される。この液晶表示装置Ｄは、テレビ受信装置ＴＶに適用することができる。テレビ受信装置ＴＶは、図１に示すように、液晶表示装置Ｄと、液晶表示装置Ｄを挟むようにして収容する表裏両キャビネットＣａ，Ｃｂと、電源Ｐと、チューナーＴと、スタンドＳとを備えて構成される。
【００２８】
液晶パネル１１は、図３に示すように、透明なＴＦＴ基板と透明なＣＦ基板との隙間に、電圧印加に伴って光学特性が変化する物質である液晶を封入した周知構造のものであり、ＴＦＴ基板には、互いに直交するソース配線とゲート配線とに接続されたスイッチング素子としてのＴＦＴ（Thin Film Transistor）が設けられ、ＣＦ基板には、赤（Ｒ），緑（Ｇ），青（Ｂ）の３色のカラーフィルタがマトリックス状に配置されている。また、両基板の液晶側とは反対側の面には、それぞれ偏光板が貼り付けられている。
【００２９】
バックライト１０は、光の出射側である表側（図３〜図５に示す上側、液晶パネル１１側、正面側）の面が開口したシャーシ１３と、シャーシ１３内に敷設される反射シート１４と、シャーシ１３内に収容される複数本の冷陰極管１５（管状をなすランプ）と、冷陰極管１５群と液晶パネル１１との間に配される光学部材１６と、光学部材１６を位置決め可能な位置決め部材（後述するランプホルダ１７、ホルダ１８、及びフレーム１９）と、冷陰極管１５を保持可能な複数のランプクリップ２０（ランプ保持部品）とを備える。このバックライト１０は、液晶パネル１１の背面側に複数本の冷陰極管１５が並列した状態で対向する、いわゆる直下型となっている。
【００３０】
シャーシ１３は、金属製とされ、図２に示すように、表側の面が開口した平面視矩形の浅い略箱型に形成されている。このシャーシ１３に対して冷陰極管１５などの各部品を取り付ける作業や取り外す作業（着脱作業）は、シャーシ１３の底板１３ａをほぼ水平な姿勢として行われ、各部品は、シャーシ１３の表側の面に形成された開口部分を通して概ね鉛直方向に沿って出し入れされる。
【００３１】
反射シート１４は、合成樹脂製とされ、表面が反射性に優れた白色などの白色系の色とされており、図３に示すように、シャーシ１３の内面に沿ってそのほぼ全域を覆いつつ敷かれて一体化され、シャーシ１３の壁面を構成している。この反射シート１４により、各冷陰極管１５から発せられる光をシャーシ１３の開口部分側へと導くことができる。
【００３２】
冷陰極管１５は、図２〜図４に示すように、シャーシ１３の底板１３ａや光学部材１６の面方向に沿って一方向に延びる細長い線状光源の一種であり、その軸方向をシャーシ１３の長辺方向と一致させた姿勢でシャーシ１３内に取り付けられている。冷陰極管１５は、複数本が互いの軸を略平行にし、且つ互いの間に所定の間隔を空けた状態で並べられている。隣り合う冷陰極管１５間の間隔（ピッチ、距離）は、ほぼ等しくなっている。
【００３３】
冷陰極管１５は、断面円形状で細長いガラス管内に水銀などが封入されるとともにその内壁面に蛍光体が塗布され、且つ両端部に電極が封入された構成とされる。冷陰極管１５は、その管径が数ｍｍ程度であるのに対し、管長が数十ｃｍ〜１．５ｍ程度で、全体として非常に細長くなっており、そのガラス管は弾性変形可能とされる。冷陰極管１５の両端の非発光部には、シャーシ１３に取り付けられるゴムホルダ２１がそれぞれ嵌着されている。このゴムホルダ２１は、シャーシ１３の底板１３ａや反射シート１４に形成された孔部に嵌入可能とされ、そこから引き出されたリード線の一端がシャーシ１３の裏側のインバータ基板（図示せず）へと接続可能とされる。なお、リード線の他端側は、冷陰極管１５の電極の端子に対して半田付けされている。
【００３４】
光学部材１６は、図３及び図４に示すように、シャーシ１３や液晶パネル１１と同様に平面視矩形状をなし、透光性を有する合成樹脂製とされるとともに、シャーシ１３の開口部分に取り付けられることで、裏側の冷陰極管１５群と表側の液晶パネル１１との間に介在する。光学部材１６は、裏側から順に積層された拡散板１６Ａ、拡散シート１６Ｂ、レンズシート１６Ｃ、及び輝度上昇シート１６Ｄにより構成されており、線状光源である各冷陰極管１５から発せられる光を均一な面状の光に変換するなどの機能を有する。このうち、最も裏側に配される拡散板１６Ａは、他の各シート１６Ｂ〜１６Ｄよりも厚さ寸法が十分に大きく、比較的高い剛性が得られている。
【００３５】
位置決め部材は、光学部材１６の外周端部を裏側で受ける枠形の受け部材を構成するランプホルダ１７及びホルダ１８と、光学部材１６の外周端部を表側から押さえる枠形の押さえ部材を構成するフレーム１９とからなる。
【００３６】
ランプホルダ１７は、表面が白色などの白色系の色の合成樹脂製とされ、図２及び図３に示すように、シャーシ１３の長辺方向の両端位置に一対取り付けられるとともに、シャーシ１３の短辺方向に沿って延びる形態とされている。ランプホルダ１７は、裏面側が開口した略箱型をなしており、各冷陰極管１５に装着された各ゴムホルダ２１を表側から一括して覆うことができるようになっている。ランプホルダ１７の表側の面における内周端部には、光学部材１６を受けることが可能な受け部２２が段付き状に凹んで形成されている。
【００３７】
ホルダ１８は、表面が白色などの白色系の色の合成樹脂製とされ、図２及び図４に示すように、シャーシ１３の短辺方向の両端位置に一対取り付けられるとともに、シャーシ１３の長辺方向に沿って延びる形態とされている。ホルダ１８の表側の面における内周端部には、ランプホルダ１７と同様に光学部材１６用の受け部２３が段付き状に凹んで形成されている。
【００３８】
フレーム１９は、金属製で枠形に形成されるとともに、図３及び図４に示すように、光学部材１６の外周端部を表側からほぼ全周にわたって押さえることができるようになっている。フレーム１９は、その内周端部に光学部材１６の板面に対向する押さえ面を有している。押さえ面は、組み付け状態において、最も表側の輝度上昇シート１６Ｄの表側の板面に対して僅かにクリアランスを空けた位置に配されるようになっており、これにより光学部材１６が熱膨張したり熱収縮するのが許容される。
【００３９】
ランプクリップ２０は、図２に示すように、シャーシ１３の底板１３ａにおいて複数分散して設置され、その配置はジグザグ状（互い違い、千鳥状）とされている。ランプクリップ２０は、図５に示すように、シャーシ１３に取り付けられる取付板２４と、取付板２４から裏側へ突出する一対の係止部２５と、取付板２４から表側（光学部材１６側）へ立ち上がる立ち上げ部２６と、立ち上げ部２６に連結されて冷陰極管１５を把持可能な一対のランプ把持部２７とから構成される。このランプクリップ２０は、合成樹脂製で、全体の表面が光の反射性に優れた白色などの白色系の色とされている。
【００４０】
取付板２４は、シャーシ１３の底板１３ａの短辺方向（冷陰極管１５の軸線方向と直交する方向）に沿って延びる細長い板状をなしている。取付板２４は、シャーシ１３の壁面をなす反射シート１４に宛われた状態で取り付けられる。
【００４１】
係止部２５は、取付板２４の裏側の面に一対並んで設置されている。係止部２５は、取付板２４が取り付けられるのに伴い、シャーシ１３及び反射シート１４に設けられた取付孔Ｈに通され、その裏側の孔縁に対して弾性的に係止可能とされる。これにより、支持部品２０がシャーシ１３に対して取付状態に保持されるようになっている。
【００４２】
立ち上げ部２６は、取付板２４における長さ方向略中央から表側へ突出するピン状をなしている。立ち上げ部２６は、水平方向に沿った断面形状が円形で、先端側に行くに連れて径寸法が減少する先細り状に形成されており、全体として略円錐体状に形成されている。この立ち上げ部２６は、次述するランプ把持部２７よりも表側へ突出する高さ寸法を有しており、その先端部によって光学部材１６の拡散板１６Ａを裏側から支持できるようになっている（図３及び図４参照）。この立ち上げ部２６の先端部は、丸められている。
【００４３】
ランプ把持部２７は、立ち上げ部２６に対して一対連結されている。詳しくは、ランプ把持部２７は、立ち上げ部２６における長さ方向の途中位置（根元と先端との間の位置）に対してそれぞれ連結部２８を介して連結されている。これにより、ランプ把持部２７は、取付板２４から所定高さ持ち上げられた位置に支持される。両連結部２８は、立ち上げ部２６の外周面のうち互いに反対側を向いた位置、つまり略１８０度の角度間隔を空けた位置にそれぞれ連結されている。これにより、両連結部２８及び両ランプ把持部２７が立ち上げ部２６から互いに反対側へ向けて突出し、一直線上に配される（図２参照）。連結部２８は、取付板２４とほぼ平行をなすとともに、ランプ把持部２７を立ち上げ部２６から取付板２４の長さ方向について所定距離離間した位置に支持している。従って、このランプクリップ２０は、立ち上げ部２６を挟んだ２位置でそれぞれ冷陰極管１５を保持できるようになっている。
【００４４】
ランプ把持部２７は、冷陰極管１５の周囲を取り囲む有端環状をなしている。詳しくは、ランプ把持部２７は、冷陰極管１５の外周面に沿った円環体の一部に、冷陰極管１５の着脱を許容するための開口部２９を形成してなり、その開口部２９の開口幅は、冷陰極管１５の外径寸法よりも小さく設定されている。ランプ把持部２７は、開口部２９を通して冷陰極管１５が着脱されるのに伴って両開口端部２７ａを接離（開閉）させつつ弾性変形可能とされる。ランプ把持部２７の両開口端部２７ａには、内向き（開口部２９の開口幅を狭める方向）に張り出すとともに正規深さに取り付けられた冷陰極管１５に対して係合することで、冷陰極管１５を抜け止め可能な抜け止め部３０が設けられている。
【００４５】
そして、このランプ把持部２７は、正面から見て水平方向に沿って横向きに開口する略Ｃ字型をなしており、その開口方向は、冷陰極管１５をシャーシ１３に対して着脱する作業を行う際の鉛直方向と直交（交差）する方向と一致している。従って、ランプ把持部２７に対して冷陰極管１５を取り付ける際には、シャーシ１３の開口部分を通してランプ把持部２７の開口部２９に冷陰極管１５を位置合わせするまでは、概ね鉛直方向に沿って冷陰極管１５を移動させ、ランプ把持部２７に対して開口部２９を通して冷陰極管１５を取り付けるまでは水平方向に沿って冷陰極管１５を移動させることになる。つまり、冷陰極管１５の取付経路は、鉛直方向に沿った経路と水平方向に沿った経路とを組み合わせた略Ｌ字型の経路（途中で屈曲した経路）となる。
【００４６】
各ランプ把持部２７は、立ち上げ部２６側とは反対側に向けて開口しており、立ち上げ部２６に連結された２つのランプ把持部２７は、互いに逆向きに開口している。従って、１つのランプクリップ２０に取り付けられる２本の冷陰極管１５は、取り付け時には水平方向に沿って互いに接近する向きに移動させられ、取り外し時には互いに離間する向きに移動させられることになる。
【００４７】
ランプ把持部２７の両開口端部２７ａのうち、図５に示す下側（取付作業時における鉛直方向下側）の開口端部２７ａには、冷陰極管１５の取付経路を規定するランプガイド部３１が一体形成されている。詳しくは、ランプガイド部３１は、ランプ把持部２７の開口端部２７ａから水平方向に沿って外向き（立ち上げ部２６側とは反対側）に延出しており、その延出方向がランプ把持部２７の開口方向と一致している。従って、冷陰極管１５をランプ把持部２７に取り付ける際には、冷陰極管１５をランプガイド部３１に宛いつつランプガイド部３１に沿って真っ直ぐに押し込むようにすればよい。ランプガイド部３１は、ランプ把持部２７の開口端部２７ａとの連結箇所を基端とした片持ち状に形成されている。これにより、ランプガイド部３１は、その延出方向である水平方向と交差する方向に弾性変形可能とされる。なお、このランプガイド部３１には、既述した抜け止め部３０がランプ把持部２７の開口端部２７ａ側から跨って形成されている。
【００４８】
ランプガイド部３１の自由端部（延出端部）には、冷陰極管１５の脱落を規制可能な脱落規制部３２が設けられている。詳しくは、脱落規制部３２は、ランプガイド部３１の先端側から鉛直方向斜め上向きに立ち上がる、傾斜状の壁により構成される。この脱落規制部３２は、図５の一点鎖線に示すように、ランプガイド部３１に載った状態の冷陰極管１５に対してランプ把持部２７側とは反対側、つまり取付方向手前側から係合可能とされる。これにより、冷陰極管１５がランプガイド部３１から脱落するのを規制できるようになっている。
【００４９】
上記した構成の液晶表示装置Ｄは、次のようにして製造される。液晶パネル１１及びバックライト１０をそれぞれ別途に製造し、それらをベゼル１２などを用いて互いに組み付けることで、液晶表示装置Ｄが製造される。続いて、バックライト１０の組み付け方法について説明する。
【００５０】
まず、シャーシ１３を図示しない作業台などに載せて、その底板１３ａをほぼ水平な姿勢とする。その状態で、シャーシ１３内に反射シート１４を敷設して一体化させた後、シャーシ１３の底板１３ａに対してランプクリップ２０を取り付ける。その後、両端部にゴムホルダ２１を装着した状態の冷陰極管１５を取り付ける作業を行う。なお、これらの取付作業は、作業者はシャーシ１３を鉛直方向上側から見下ろしながら行っている。
【００５１】
図５の二点鎖線に示す位置から冷陰極管１５を、概ね鉛直方向下向きに移動させる。そして、図５の一点鎖線に示すように、冷陰極管１５をランプガイド部３１に当接させることで、ランプ把持部２７の開口部２９に対して冷陰極管１５が鉛直方向について位置合わせされる。このとき、冷陰極管１５の鉛直方向下側への押し込みが過剰だったときでも、片持ち状のランプガイド部３１が撓み変形することで、冷陰極管１５に損傷を与えることなく押し込み力を吸収できる。この場合でも、冷陰極管１５は常に開口部２９に対して位置決め状態に保たれる。冷陰極管１５が開口部２９と位置合わせされた状態から、取付経路を規定しているランプガイド部３１に沿って冷陰極管１５を真っ直ぐにランプ把持部２７へ向けて押し込むと、冷陰極管１５がランプ把持部２７を弾性的に拡開変形させつつスムーズに開口部２９を通過する。
【００５２】
そして、図５の実線に示すように、冷陰極管１５が正規深さまで押し込まれると、ランプ把持部２７はその内周面のほぼ全域が冷陰極管１５の外周面に当接する形状にまで復元するとともに、抜け止め部３０が冷陰極管１５に対して取付方向手前側から係合してその抜け止めが図られる。この取付状態では、ランプ把持部２７によって把持された冷陰極管１５は、ランプ把持部２７が立ち上げ部２６によって持ち上げられた分だけ取付板２４から浮いた高さ位置に支持される。１本の冷陰極管１５は、その軸線方向について離間した３箇所または４箇所においてそれぞれランプ把持部２７によって把持される（図２参照）。なお、冷陰極管１５の両端部のゴムホルダ２１は、細長い冷陰極管１５を撓ませながら、シャーシ１３に取り付けられる。
【００５３】
ところで、この取付作業を行う際には、ランプ把持部２７に対する冷陰極管１５の取付深さが不足したり、或いは冷陰極管１５をランプガイド部３１に載せた状態で押し込み操作を失念する事態が発生する可能性がある。その場合でも、ランプ把持部２７は、取付作業時の鉛直方向と直交する水平方向に開口しているから、取付深さが不足した冷陰極管１５は、図６の二点鎖線に示すように、正規の取付位置（図６の実線で示す位置）から、取付深さが不足した分だけ水平方向に沿って外側、つまり取付方向手前側に突出して（ずれて）配される。従って、シャーシ１３を鉛直方向上側から見下ろして作業を行っている作業者にとって、取り付けが不十分な冷陰極管１５を目視により検出し易く、もって取り付けが不十分な冷陰極管１５が看過されるのが防がれる。このような冷陰極管１５を発見した場合、作業者は冷陰極管１５を正規の取付深さまで押し込むようにする。なお、この冷陰極管１５の検査作業は、取付作業と同時に行ってもよく、また取付作業後に別途行うようにしてもよい。
【００５４】
上記のようにして冷陰極管１５を取り付ける作業を行った後、ランプホルダ１７及びホルダ１８をシャーシ１３内に取り付ける。そして、ランプホルダ１７及びホルダ１８の受け部２２，２３に光学部材１６を、拡散板１６Ａ、拡散シート１６Ｂ、レンズシート１６Ｃ、輝度上昇シート１６Ｄの順で載せる。それから、フレーム１９を取り付けることで光学部材１６の位置決めがなされる。以上のようにして、バックライト１０の組み付けが完了する。
【００５５】
ところで、既述した取付作業において各冷陰極管１５がそれぞれ各ランプ把持部２７に対して正規に取り付けられたとしても、液晶表示装置Ｄ（バックライト１０）が搬送される途中や使用時において作用する振動や衝撃の影響により、冷陰極管１５が正規の取付状態から取付方向手前側、すなわち脱落方向へ変位する事態が生じる可能性がある。万が一、そのような事態が発生したとしても、変位した冷陰極管１５は、ランプガイド部３１に載った状態（図５の一点鎖線に示す状態）とされ、その外側からは脱落規制部３２が係合する。これにより、ランプガイド部３１に載った状態から冷陰極管１５が脱落するような事態が防止される。しかも、この状態では、冷陰極管１５の高さ位置は、正規の取付状態とほぼ同一であり、冷陰極管１５と光学部材１６や液晶パネル１１との間の距離が変化しないので（ほぼ同一なので）、液晶表示装置Ｄに表示不良が生じる事態を回避することができる。
【００５６】
以上説明したように本実施形態によれば、ランプ把持部２７に対して冷陰極管１５を取り付ける際の取付経路を規定するランプガイド部３１が備えられているから、ランプガイド部３１に沿って冷陰極管１５を移動させることで、取付作業をスムーズに行うことができ、もって冷陰極管１５の取付作業性を向上させることができる。
【００５７】
また、ランプガイド部３１は、シャーシ１３に取り付けられる、ランプ把持部２７を有するランプクリップ２０に一体形成されているから、仮にランプクリップ２０とは別の部品にランプガイド部を設置した場合、その部品とランプクリップ２０との間に組み付け誤差が生じ得るのに比べ、そのような組み付け誤差の発生を回避できて、円滑な取付作業を期することができる。
【００５８】
また、ランプガイド部３１は、ランプ把持部２７の開口端部２７ａに形成され、その開口方向に沿って延出する形態とされているから、冷陰極管１５をランプガイド部３１に沿って真っ直ぐに押し込むことで、冷陰極管１５をランプ把持部２７に取り付けることができ、取付作業をよりスムーズなものとすることができる。
【００５９】
また、ランプ把持部２７は、冷陰極管１５の取付作業時における鉛直方向と交差する方向に開口しているから、冷陰極管１５をランプ把持部２７に取り付ける際に、その取付深さが不足した場合、その不足した分だけ冷陰極管１５が正規の取付位置から取付作業時における鉛直方向と交差する方向に突出することになる。これにより、目視により冷陰極管１５の取付深さが不足したのを容易に検出することができ、取付作業性を向上させることができる。しかも、ランプ把持部２７を上記鉛直方向と直交する方向に開口させるようにしているから、冷陰極管１５の取付深さが不足したのを一層容易に検出することができる。
【００６０】
また、ランプクリップ２０には、ランプガイド部３１に載った状態の冷陰極管１５に対して取付方向手前側から係合する脱落規制部３２が設けられているから、万が一、ランプ把持部２７に対して正規に取り付けられた冷陰極管１５が振動などの影響によって外れ、ランプガイド部３１に載った状態となっても、その冷陰極管１５に対して取付方向手前側から脱落規制部３２が係合することで、その冷陰極管１５の脱落を防ぐことができる。
【００６１】
また、ランプクリップ２０は、シャーシ１３に取り付けられる取付板２４と、この取付板２４から立ち上がる立ち上げ部２６とを備え、この立ち上げ部２６にランプ把持部２７が連結されているから、冷陰極管１５をシャーシ１３から浮いた位置にて保持することができ、冷陰極管１５の点灯時にシャーシ１３に流れる漏れ電流を軽減することができる。
【００６２】
また、立ち上げ部２６には、ランプ把持部２７が一対連結されているから、立ち上げ部２６を共用化することができ、ランプクリップ２０の構造を簡素化することができる。
【００６３】
また、１つの立ち上げ部２６に対して一対のランプ把持部２７が背中合わせに連結されるものにおいて、両ランプ把持部２７が立ち上げ部２６側とは反対側に開口しており、ランプガイド部３１が両ランプ把持部２７の開口端部２７ａから立ち上げ部２６側とは反対側へ突出する片持ち状にそれぞれ形成されているから、取り付けに際して冷陰極管１５をランプガイド部３１に宛ったとき、ランプガイド部３１が片持ち状で撓み易くなっており、鉛直方向について冷陰極管１５を押し込む力を吸収することができ、取付作業性の向上に寄与できる。
【００６４】
また、立ち上げ部２６は、ランプ把持部２７よりも鉛直方向上向きに突出して光学部材１６を支持可能とされ、光学部材１６を支持する機能を併せ持っているから、ランプクリップ２０の構造の簡素化を図ることができる。
【００６５】
＜実施形態２＞
本発明の実施形態２を図７によって説明する。この実施形態２では、ランプクリップの形状を変更したものを示す。なお、この実施形態２では、上記した実施形態１と同様の構造、作用及び効果について重複する説明は省略する。
【００６６】
このランプクリップ３３では、図７に示すように、取付板３４の表側の面から立ち上がる立ち上げ部３５に対して一対のランプ把持部３６が、それぞれランプガイド部３７を介して連結されている。詳しくは、ランプ把持部３６は、水平方向（取付作業時における鉛直方向と直交する方向）に沿って内向き、つまり立ち上げ部３５側に開口しており、その開口方向が上記した実施形態１とは逆向きとなっている。従って、両ランプ把持部３６は、もう片方のランプ把持部３６側に向けて開口していることになる。
【００６７】
ランプガイド部３７は、ランプ把持部３６における鉛直方向下側の開口端部３６ａから開口方向である水平方向に沿って内向きに延出しており、その延出端部が立ち上げ部３５に連結されている。従って、このランプクリップ３３に取り付けられる２本の冷陰極管１５は、取り付け時には水平方向に沿って互いに離間する向きに移動させられ、取り外し時には互いに接近する向きに移動させられることになる。つまり、ランプガイド部３７における冷陰極管１５の水平方向についての移動方向は、上記した実施形態１とは逆向きになっている。なお、両ランプ把持部３６及び両ランプガイド部３７は、立ち上げ部３５に対して略１８０度の角度間隔を空けた位置に連結され、ほぼ一直線上に並ぶ配置とされる。
【００６８】
立ち上げ部３５は、両ランプガイド部３７よりもさらに鉛直方向上向きに突出しており、この突出部分が両ランプ把持部３６に対する両冷陰極管１５の取付経路同士を仕切る仕切り部３８となっている。仕切り部３８は、両ランプ把持部３６の間に位置していて、一方のランプ把持部３６における冷陰極管１５の取付経路から、他方のランプ把持部３６における冷陰極管１５の取付経路を独立させており、これにより、それぞれに取り付けられる両冷陰極管１５が互いに干渉するのが避けられるようになっている。この仕切り部３８は、ランプ把持部３６よりもさらに鉛直方向上向きに突出するとともに、その先端部によって光学部材１６（図示せず）を裏側から支持できるようになっている。
【００６９】
仕切り部３８の外周面には、各ランプガイド部３７に載った状態の冷陰極管１５に対して、取付方向手前側から係合する脱落規制部３９が一対設けられている。脱落規制部３９は、仕切り部３８の外周面から冷陰極管１５の取付経路を狭めつつランプ把持部３６側へ突出する突起状に形成されている。脱落規制部３９は、仕切り部３８において、ランプ把持部３６における鉛直方向上側の開口端部３６ａに設けられた抜け止め部４０とほぼ同じ高さ位置に設置されている。脱落規制部３９は、ランプガイド部３７に載った状態の冷陰極管１５に対して鉛直方向上側から係合できるようになっており、これにより冷陰極管１５が同方向へ変位して脱落するのを防止することができる。
【００７０】
ランプクリップ３３に冷陰極管１５を取り付ける際には、図７の二点鎖線に示す位置から冷陰極管１５を鉛直方向下向きに移動させ、ランプ把持部３６のうち鉛直方向上側の開口端部３６ａと仕切り部３８との間に冷陰極管１５を通し、図７の一点鎖線に示すように、冷陰極管１５をランプガイド部３７に当接させる。この状態から、冷陰極管１５をランプガイド部３７に沿って水平方向外向き（立ち上げ部３５側とは反対側）に移動させ、ランプ把持部３６を弾性的に拡開変形させつつその開口部４１に通す。そして、冷陰極管１５が正規の取付深さに達したところで、ランプ把持部３６はその内周面のほぼ全域が冷陰極管１５の外周面に当接するまで復元する。もって、冷陰極管１５がランプ把持部３６によって取付状態に保持される。この取付作業時に、取付深さが不足した冷陰極管１５があった場合には、その冷陰極管１５は正規の取付位置から取付深さが不足した分だけ水平方向に突出するので（図７の一点鎖線で示す冷陰極管１５を参照）、鉛直方向上側から見下ろして作業を行っている作業者にとっては、目視により容易に検出することができる。
【００７１】
以上説明したように本実施形態によれば、１つの立ち上げ部３５に対して一対のランプ把持部３６が背中合わせに連結されるものにおいて、両ランプ把持部３６が立ち上げ部３５側に開口しており、ランプガイド部３７が両ランプ把持部３６の開口端部３６ａと立ち上げ部３５とを連結してそれぞれ形成されているから、立ち上げ部３５に対して両ランプ把持部３６を連結する部位をランプガイド部３７によって兼用しており、実施形態１のように別途に連結部を設けた場合と比較すると、ランプクリップ３３の小型化を図ることが可能となる。
【００７２】
また、立ち上げ部３５には、両ランプ把持部３６間に位置し、互いの取付経路を仕切る仕切り部３８が設けられているから、一方の冷陰極管１５を取り付ける際に、その冷陰極管１５が既に取り付けられた他方の冷陰極管１５と干渉するのを回避することができる。
【００７３】
また、仕切り部３５は、ランプ把持部３６よりも鉛直方向上向きに突出して光学部材１６を支持可能とされ、光学部材１６を支持する機能を併せ持っているから、ランプクリップ３３の構造の簡素化を図ることができる。
【００７４】
＜実施形態３＞
本発明の実施形態３を図８によって説明する。この実施形態３では、ランプクリップの形状をさらに変更したものを示す。なお、この実施形態３では、上記した実施形態１，２と同様の構造、作用及び効果について重複する説明は省略する。また、図８に示す右側が、液晶表示装置（バックライト）を使用する際の設置状態における鉛直方向上側とされる。
【００７５】
このランプクリップ４２では、図８に示すように、取付板４３から一対の立ち上げ部４４が表側へ立ち上がるとともに、各立ち上げ部４４に対してそれぞれランプ把持部４５が連結されている。詳しくは、立ち上げ部４４は、取付板４３においてその長さ方向について所定の間隔を空けた位置にそれぞれ設置されている。この立ち上げ部４４の先端面に対してランプ把持部４５における鉛直方向下側の開口端部４５ａが連結されている。
【００７６】
両ランプ把持部４５は、水平方向（取付作業時における鉛直方向と直交する方向）に沿って共に同じ方向（図８に示す右向き）に開口している。このランプ把持部４５の開口方向は、液晶表示装置Ｄ（バックライト１０）を使用する際の設置状態における鉛直方向上側と一致している。各ランプ把持部４５のうち鉛直方向下側の開口端部４５ａからは、その開口方向である水平方向に沿ってランプガイド部４６が延出して形成されている。ランプガイド部４６は、ランプ把持部４５の開口端部４５ａを基端とした片持ち状に形成されている。
【００７７】
ランプクリップ４２に冷陰極管１５を取り付ける際には、図８の二点鎖線に示す位置から冷陰極管１５を鉛直方向下向きに移動させ、図８の一点鎖線に示すように、冷陰極管１５をランプガイド部４６に当接させる。この状態から、冷陰極管１５をランプガイド部４６に沿って図８に示す左向きに移動させ、ランプ把持部４５を弾性的に拡開変形させつつその開口部４７に通す。そして、冷陰極管１５が正規の取付深さに達したところで、ランプ把持部４５はその内周面のほぼ全域が冷陰極管１５の外周面に当接するまで復元する。もって、冷陰極管１５がランプ把持部４５によって取付状態に保持される。各冷陰極管１５の取付経路は、全て同じになるので、取付作業性が良好なものとなる。このランプクリップ４２においても、上記実施形態１，２と同様に、取付深さが不足した冷陰極管１５を容易に目視により検出することができる。
【００７８】
以上説明したように本実施形態によれば、各ランプ把持部４５が、液晶表示装置Ｄ（バックライト１０）を使用する際の設置状態における鉛直方向上向きに開口しているから、その設置状態において振動や衝撃が作用しても、冷陰極管１５がランプ把持部４５から脱落し難く、冷陰極管１５をしっかりと取付状態に保持することができる。
【００７９】
＜実施形態４＞
本発明の実施形態４を図９によって説明する。この実施形態４では、ランプクリップから立ち上げ部を省略したものを示す。なおこの実施形態４では、上記した実施形態１〜３と同様の構造、作用及び効果について重複する説明は省略する。
【００８０】
このランプクリップ４８では、図９に示すように、取付板４９に対して一対のランプ把持部５０が直接連結されている。詳しくは、ランプ把持部５０は、冷陰極管１５の外周面に沿った円弧状をなすとともに、その内周面が取付板４９の表側の面と対向するよう、取付板４９から立ち上げられている。ランプ把持部５０の先端部と取付板４９との間に開口部５１が形成されており、ここを通して取り付けられる冷陰極管１５は、ランプ把持部５０と取付板４９との間に挟まれた状態で保持されるようになっている。つまり、取付板４９がランプ把持部５０の一部を構成していることになる。ランプ把持部５０の先端部（開口端部）には、取り付けられた冷陰極管１５に対して外側から係合する抜け止め部５２が設けられている。取付板４９のうち、上記抜け止め部５２と対向する位置にも同様の抜け止め部５２が張り出して設けられている。
【００８１】
そして、取付板４９のうち、抜け止め部５２よりも取付方向手前側（図９の右側）の部分が、冷陰極管１５の取付経路を規定するランプガイド部５３を構成している。ランプガイド部５３は、ランプ把持部５０の開口部５１の開口方向である水平方向に沿って延出する形態とされる。このランプガイド部５３に沿って真っ直ぐに冷陰極管１５を押し込むことで、ランプ把持部５０への取付作業を容易に行うことができる。
【００８２】
以上説明したように本実施形態によれば、ランプ把持部５０の開口端部が取付板４９に連結されるとともに、この取付板４９がランプガイド部５３を兼用しているから、仮に取付板とは別途にランプガイド部を設置した場合と比較すると、ランプクリップ４８の構造の簡素化を図ることができる。
【００８３】
＜実施形態５＞
本発明の実施形態５を図１０によって説明する。この実施形態５では、反射シート及びランプクリップを省略したものを示す。なおこの実施形態５では、上記した実施形態１〜４と同様の構造、作用及び効果について重複する説明は省略する。
【００８４】
このバックライト１０においては、図１０に示すように、ランプクリップを省略するとともに、ランプ把持部５４をシャーシ５５の底板５５ａに一体形成している。ランプ把持部５４は、冷陰極管１５の外周面に沿った円弧状をなすとともに、シャーシ５５の底板５５ａから立ち上げられ、その内周面がシャーシ５５（底板５５ａ）の壁面と対向している。ランプ把持部５４の先端部とシャーシ５５との間に開口部５６が形成されており、ここを通して取り付けられる冷陰極管１５は、ランプ把持部５４とシャーシ５５との間に挟まれた状態で保持されるようになっている。つまり、シャーシ５５がランプ把持部５４の一部を構成していることになる。
【００８５】
そして、シャーシ５５のうち、ランプ把持部５４よりも取付方向手前側（図１０の右側）の部分が、冷陰極管１５の取付経路を規定するランプガイド部５７を構成している。ランプガイド部５７は、ランプ把持部５４の開口部５６の開口方向である水平方向に沿って延出する形態とされる。このランプガイド部５７に沿って真っ直ぐに冷陰極管１５を押し込むことで、ランプ把持部５４への取付作業を容易に行うことができる。なお、シャーシ５５の壁面及びランプ把持部５４の外周面は、光の反射性に優れた白色などの白色系の色に着色されている。また、シャーシ５５の材料は、金属材料の他に合成樹脂材料であっても構わない。
【００８６】
以上説明したように本実施形態によれば、ランプ把持部５４がシャーシ５５に一体形成され、そのシャーシ５５の壁面がランプガイド部５７を兼用しているから、実施形態１〜４と比較すると、構造の簡素化を図ることができる。
【００８７】
＜他の実施形態＞
本発明は上記記述及び図面によって説明した実施形態に限定されるものではなく、例えば次のような実施形態も本発明の技術的範囲に含まれる。
【００８８】
（１）上記した各実施形態では、ランプガイド部がランプ把持部の開口部の開口方向に沿って延出する場合を示したが、ランプガイド部が開口部の開口方向に対して斜め方向または直交する方向に延出する形態であっても構わない。
【００８９】
（２）上記した各実施形態では、ランプ把持部が鉛直方向と直交する水平方向に開口する場合を示したが、鉛直方向斜め上向きや鉛直方向斜め下向きなど、鉛直方向に対して傾斜した向きに開口する形態のランプ把持部としたものも本発明に含まれる。その場合、そのランプ把持部の開口方向（鉛直方向に対して傾斜した方向）に沿ってランプガイド部を延出させるようにしてもよい。
【００９０】
（３）上記（２）以外にも、ランプ把持部を鉛直方向上向きに開口させたものも本発明に含まれる。
【００９１】
（４）上記した各実施形態では、ランプ把持部の開口端部にランプガイド部を設けた場合を示したが、ランプクリップにおけるそれ以外の箇所に設置するようにしてもよい。
【００９２】
（５）上記した実施形態１〜４では、ランプクリップにランプガイド部を一体形成した場合を示したが、シャーシに対して取り付けられる、ランプクリップとは別の部品にランプガイド部を設けるようにしてもよい。
【００９３】
（６）上記した実施形態１，２では、立ち上げ部（仕切り部）に光学部材を支持する機能を併せ持たせた場合を示したが、立ち上げ部（仕切り部）の高さ位置をランプ把持部と同じ程度とし、光学部材支持機能を省略してもよい。
【００９４】
（７）上記した実施形態２では、立ち上げ部が両冷陰極管の取付経路を仕切る仕切り部として機能する場合を示したが、立ち上げ部の高さ位置をランプガイド部と同じ程度とし、取付経路の仕切り機能を省略してもよい。
【００９５】
（８）上記した実施形態３，４のように、各ランプ把持部毎に立ち上げ部を独立させるものにおいては、ランプクリップにおける立ち上げ部及びランプ把持部の設置数を任意（１つまたは３つ以上）に変更することができる。
【００９６】
（９）上記した実施形態３において、ランプガイド部の延出端部に、実施形態１に記載したような脱落規制部を設置してもよい。
【００９７】
（１０）上記した実施形態４において、取付板に脱落規制部を設置することも可能である。
【００９８】
（１１）上記した実施形態１〜４では、ランプクリップが取付板を備える場合を示したが、立ち上げ部またはランプ把持部に直接係止部を設置することで、取付板を省略してもよい。
【００９９】
（１２）上記した実施形態１〜４において、反射シートを省略し、シャーシの壁面を反射性に優れた白色など白色系の色に着色してもよい。
【０１００】
（１３）上記した各実施形態では、冷陰極管の端部に設置した電極の端子に対してリード線を半田付けするものを示したが、冷陰極管の端部に電極に接続された口金を設置し、その口金をシャーシ側に設置したコネクタに嵌合接続するようにし、コネクタからインバータ基板に接続を取るようにしてもよい。
【０１０１】
（１４）上記した各実施形態では、ランプクリップや反射シート（シャーシ）の表面の色が白色とされた場合を例示したが、必ずしも白色に限らず、例えば乳白色などの他の白色系の色に変更することも可能である。また、白色系以外の色としても構わない。
【０１０２】
（１５）上記した各実施形態では、ランプとして冷陰極管を例示した場合を例示したが、熱陰極管や蛍光管など他の種類の管状をなすランプについても本発明は適用可能である。
【０１０３】
（１６）上記した各実施形態では、表示パネルとして液晶パネルを用いた液晶表示装置を例示したが、他の種類の表示パネルを用いた表示装置にも本発明は適用可能である。
【０１０４】
（１７）上記した各実施形態では、チューナを備えたテレビ受信装置を例示したが、チューナを備えない表示装置にも本発明は適用可能である。
【図面の簡単な説明】
【０１０５】
【図１】本発明の実施形態１に係るテレビ受信装置の概略を表す分解図
【図２】バックライトの平面図
【図３】図２のＡ−Ａ線断面図
【図４】図２のＢ−Ｂ線断面図
【図５】冷陰極管の取付動作を表す拡大正面図
【図６】取付状況に応じた冷陰極管の位置を表す拡大平面図
【図７】本発明の実施形態２に係るランプクリップの拡大正面図
【図８】本発明の実施形態３に係るランプクリップの拡大正面図
【図９】本発明の実施形態４に係るランプクリップの拡大正面図
【図１０】本発明の実施形態５に係るシャーシの拡大断面図
【符号の説明】
【０１０６】
１０…バックライト（表示装置用照明装置）
１１…液晶パネル（表示パネル）
１３，５５…シャーシ
１５…冷陰極管（ランプ）
１６…光学部材
２０，３３，４２，４８…ランプクリップ（ランプ保持部品）
２４，３４，４３，４９…取付板
２６，３５，４４…立ち上げ部
２７，３６，４５，５０，５４…ランプ把持部
２７ａ，３６ａ，４８ａ…開口端部
３１，３７，４６，５３，５７…ランプガイド部
３２，３９…脱落規制部
３８…仕切り部
Ｄ…液晶表示装置
【図１】
2008293710.tif 000003
【図２】
2008293710.tif 000004
【図３】
2008293710.tif 000005
【図４】
2008293710.tif 000006
【図５】
2008293710.tif 000007
【図６】
2008293710.tif 000008
【図７】
2008293710.tif 000009
【図８】
2008293710.tif 000010
【図９】
2008293710.tif 000011
【図１０】
2008293710.tif 000012